(57)【要約】【課題】生産と組立を簡易にすることにより製造コストを下げ、且つ組み合わされる電子部品と電磁妨害を起こさないコネクター及びその指示ランプを提供する。【解決手段】本発明のコネクター４は指示ランプ３及びコネクター本体４１を含む、指示ランプ３は発光部３１及び延長体３２を含み、延長体３２は発光部３１を覆い、且つ発光部３１と一体成型で製作される。コネクター本体４１は収納スペース４１１を備え、延長体３２の少なくとも一部分が収納スペース４１１内に収容される。【選択図】図５
2007184245.tif 000002
【特許請求の範囲】
【請求項１】
発光部及び延長体を備え、前記延長体は前記発光部を覆い、且つ前記延長体と前記発光部とは一体成型で製作される指示ランプと、
収納スペースを備え、前記延長体の少なくとも一部分が前記収納スペース内に収容されるコネクター本体と、を含むコネクター。
【請求項２】
前記一体成型はモールディング技術により製作されることを特徴とする請求項1に記載のコネクター。
【請求項３】
前記指示ランプは発光ダイオード素子或いは有機発光ダイオード素子であることを特徴とする請求項1に記載のコネクター。
【請求項４】
前記延長体は細長型、Ｌ型、Ｕ型或いは非矩形ブロック型であることを特徴とする請求項1に記載のコネクター。
【請求項５】
前記延長体は、前記発光部から発せられる光線を前記延長体の前記発光部から離れた側の表面に導くことを特徴とする請求項1に記載のコネクター。
【請求項６】
前記コネクター本体正面は開口を備え、前記延長体の表面は前記開口に対し内側に引っ込む、突出する或いは実質的に揃っていることを特徴とする請求項５記載のコネクター。
【請求項７】
前記延長体の材質はポリメチルメタクリレート、ポリカーボネート、透明材質或いは半透明材質であることを特徴とする請求項1記載のコネクター。
【請求項８】
前記延長体側壁には反射材料層、光吸収材料層、耐熱材料層或いは抗電磁波層が設けられていることを特徴とする請求項1記載のコネクター。
【請求項９】
前記コネクター本体を覆う阻隔部と、
前記阻隔部を覆う外殻と、をさらに含み、
前記指示ランプは前記阻隔部と前記外殻との間に位置し、且つ前記外殻と前記コネクター本体とは相互に分離した構造であることを特徴とする請求項1記載のコネクター。
【請求項１０】
発光部と、前記発光部を覆う延長体と、を含み、前記延長体と前記発光部とは一体成型で製作されることを特徴とする指示ランプ。
【発明の詳細な説明】
【技術分野】
【０００１】
本発明は指示ランプ（indicator）に関し、特にコネクターに応用される非矩形ブロック型指示ランプに関するものである。
【背景技術】
【０００２】
発光ダイオードは、１９６０年代にが商品化されて以来、高い耐震性、長い寿命を備えていると同時に消費電気量が少なく、発熱度が小さいために、その応用範囲は日常生活中の各用品、例えば家電製品及び各器具の指示ランプ、光源或いはバックライト光源等に及んでいる。
【０００３】
コネクター、例えば通信ネットワークのコネクター（ＲＪ‐４５）も、発光ダイオードを指示ランプとして使用し、それによってコネクターの作動状態を示すのである。図1と図２に示される従来技術は、指示ランプ１２をコネクター１１の後端に固定し、さらに透明導光部材１３を組み付けて、指示ランプ１２が発する光線をコネクター１１の前方に伝導し、それによってコネクターの作動状態を示すものである。なお、指示ランプ１２の光路は矢印に示すとおりである。
【０００４】
指示ランプ１２と透明導光部材１３は別個の単独部材であるため、組立に手間が多く掛かり、ゆえに製品の生産時間が長くなり、且つ部品数が比較的多いので品質管理が困難となる。また、指示ランプ１２と透明導光部材１３は別個の単独部材であるために、両者の接合面の間に光損失現象が比較的多く発生する。
【０００５】
電子製品は小型化、高集積化に向け発展しているために、電子部品の間で起こる電磁妨害による、電子製品の機能と信頼度とへの影響がますます大きくなっている。そして前述の技術のコネクター１１を使用し、指示ランプ１２はコネクター１１の回路と同じ殻体内に位置しているために、指示ランプ１２は、電磁妨害を受けやすく、或いはその他コネクター１１内部の電子部品に対して電磁妨害を起こさせやすい。
【０００６】
図３に示されるもう１つの従来技術は、指示ランプ２１がコネクター２２の後部に設置され、且つ透明材質で作ったコネクター２２の殻体を利用することによって光を通過させる。しかしこの方式でもやはり指示ランプ２１と透明導光部材は別々の単独部材であるために、両者の接合面の間にはやはり光損失現象が比較的多く発生する。しかも、指示ランプ２１はコネクター２２の殻体内に置かれたままであるため、指示ランプ２１も電磁妨害を受けやすく、或いはその他コネクター２２内部の電子部品に対して電磁妨害を起こさせやすい。
【０００７】
よって、いかに、コネクター及びその指示ランプを提供し、これらと組み合わされた電子製品の生産・組立を簡易にし、且つ電磁妨害の発生を防止し、光損失を減らし、電子製品の機能と信頼度を保つのかが、いま重要な課題の１つとなっている。
【発明の開示】
【発明が解決しようとする課題】
【０００８】
本発明の目的は、生産と組立を簡易にすることにより、製造コストを下げ、且つ組み合わされる電子部品と電磁妨害を起こさないコネクター及びその指示ランプを提供することである。
【課題を解決するための手段】
【０００９】
上述の目的を達成するために、本発明に係るコネクターは、指示ランプ及びコネクター本体を含む。指示ランプは発光部及び非矩形ブロック型延長体を備え、この延長体は発光部を覆い、且つ延長体と発光部は一体成型で製作される。コネクター本体の外側は収納スペースを備え、この延長体の少なくとも一部分は収納スペース内に収容される。この指示ランプはＬ型或いはＵ型とすることができる。
【００１０】
上述の目的を達成するために、本発明に係る指示ランプは発光部及び非矩形ブロック型延長体を含む。この延長体は発光部を覆い、延長体と発光部は一体成型で製作される。
【発明の効果】
【００１１】
本発明に係るコネクター及びその指示ランプは、発光部及び非矩形ブロック型延長体を一体成型で作られるために、電子製品の生産、組立が簡易となり、生産時間が短縮し、製造コストが下げられ、且つ部品数が比較的少なくなるとともに、発光部と延長体の間に接合面がないために指示ランプには光損失が実質的に発生せず、且つ品質管理が容易となる。そのほかに、指示ランプの延長体の少なくとも一部分がコネクター本体の収納スペース内に収容されるために、発光部はコネクター本体内に設置しなくてすむ。ゆえに、指示ランプとコネクターの間に電磁妨害が生じず、コネクターの機能と信頼度が確保される。
【発明を実施するための最良の形態】
【００１２】
以下、図面を参照しながら、本発明の実施の形態であるコネクター及びその指示ランプを説明する。
【００１３】
図４を参照すると、本発明の好ましい実施形態に基づいた指示ランプ３は、発光部３１及び延長体３２を含み、コネクター（図５参照）に連結される。前記発光部３１と前記延長体３２は一体成型で作られる。前記指示ランプ３は発光ダイオードランプ或いは有機発光ダイオードランプであってもよい。
【００１４】
前記指示ランプ３は例えばモールディング(ｍolding)技術を利用し一体成型で製作することができる。製作手順は次のごとく、まず必要な前記延長体３２の形状サイズに基づいて型を設計し、さらに発光部３１を型内に置き、プラスチック材質を使用しワンショット成型で延長体３２を製作し、発光体３１を覆うようにする。本実施形態で使用するプラスチック材質はポリメチルメタクリレート（Ｐolymethylmethacrylate、ＰＭＭＡ）、或いはポリカーボネート(Ｐolycarbonate、ＰＣ)であってもよく、その長所はモールディング温度が比較的低いこと、光を透過させやすいこと、及び高流動性で細長い物体をモールディングしやすいこと、である。
【００１５】
モールディング後の指示ランプ３は図４の如く、前記延長体３２が発光部３１を覆うため、発光部３１が発する光線が延長体３２の発光部３１から離れた側まで導かれる。延長体３２は細長型、Ｌ型、Ｕ型、その他の非矩形ブロック型とするか或いは必要に応じ適切な形にモールディングすることができ、且つ延長体３２は中空或いは中実（ソリッド）とすることができる。
【００１６】
本実施形態の延長体３２は透明或いは半透明材質からなる。また、延長体３２内側壁或いは外側壁には反射材料層、光吸収材料層、耐熱材料層、抗電磁波層或いはその他の特性層をさらに配置できる。発光部３１は発光ダイオード素子、有機発光ダイオード素子或いはその他の発光体素子とすることができ、前記指示ランプ３の発光源となる。
【００１７】
図５と図６を参照すると、指示ランプ３はコネクター本体４１と組み合わされて本発明の好ましい実施形態のコネクター４を構成する。コネクター本体４１内には接続端子及びその他の電子部品がさらに設けられ、コネクター本体４１の外側には、収納スペース４１１及び正面４１２が設けられる。収納スペース４１１はコネクター本体４１の外背面側に位置することができる。さらに延長体３２の一部分は収納スペース４１１内に収容され、且つ延長体３２の発光部３１から離れた表面３２１は正面４１２の開口４１２１と実質的に揃う。また、延長体３２の表面３２１は開口４１２１に対して内側に引っ込む或いは突出することができる。
【００１８】
さらに図７を参照すると、指示ランプ３の発光部３１が発射する光線（光路a）が、延長体３２内に伝達（光路b）されてから、延長体３２の表面３２１（光路c）から導き出されることによって、コネクター４の作動状態が示される。前記指示ランプ３は接合介面がないため、指示ランプ３内に伝達される光信号の強度は減少することがなく、よって光損失の発生を防止することができる。本実施形態のコネクター本体４１はＲＪ-４５コネクター、ＲＪ-１２コネクター或いはその他の類型のコネクターとすることもできる。
【００１９】
図８を参照すると、本発明の好ましい実施形態のもう一つのコネクター５は阻隔部５２及び外殻５１を含み、前記阻隔部５２は前述のコネクター本体４１を覆い、前記外殻５１は前記阻隔部５２を覆う。前記外殻５１と前記阻隔部５２の間に前述の収納スペース４１１が存在する。また、前記外殻５１と前記コネクター５は相互に分離した構造とすることができる。前述の指示ランプ３は前記外殻５１と前記阻隔部５２の間（前述の収納スペース４１１に相当）に設置される。故に、指示ランプ３はさらに保護され、外力の影響を受けることはない。  
【００２０】
以上、好適な実施例を挙げて本発明を説明したが、本発明はこれら実施形態に限定はされないと解されるべきであり、つまり本発明は、（当業者であれば自明であるような）各種変更および均等な構成を包含するものである。上に掲げた実施形態は、本発明の原理を説明するための最良の態様を提示すべく選択し記載したものである。即ち、添付の特許請求の範囲は、かかる各種変更および均等な構成が全て包含されるように、最も広い意味に解釈されるべきである。
【図面の簡単な説明】
【００２１】
【図１】従来のコネクター及びその指示ランプの立体分解図である。
【図２】従来のコネクター及びその指示ランプの断面図である。
【図３】もう１つの従来のコネクター及びその指示ランプの断面図である。
【図４】本発明の好ましい実施形態に基づいた指示ランプの説明図である。
【図５】本発明の好ましい実施形態に基づいたコネクター及びその指示ランプの立体分解図である。
【図６】本発明の好ましい実施形態に基づいたコネクター及びその指示ランプの立体図である。
【図７】本発明の好ましい実施形態に基づいたコネクター及びその指示ランプの断面図である。
【図８】本発明の好ましい実施形態に基づいたもう一つのコネクター及びその指示ランプの断面図である。
【符号の説明】
【００２２】
１１，２２，４，５      コネクター
１２，２１，３          指示ランプ
１３                    透明導光部材
３１                    発光部
３２                    延長体
３２１                  表面
４１                    コネクター本体
４１１                  収納スペース
４１２                  正面
４１２１                開口
５１                    外殻
５２                    阻隔部
ａ，ｂ，ｃ              光路
【図１】
2007184245.tif 000003
【図２】
2007184245.tif 000004
【図３】
2007184245.tif 000005
【図４】
2007184245.tif 000006
【図５】
2007184245.tif 000007
【図６】
2007184245.tif 000008
【図７】
2007184245.tif 000009
【図８】
2007184245.tif 000010